(57)【要約】【課題】吸収性物品の装着性を高める。【解決手段】吸収体１は、前後非対称な折曲部１０で折り曲げられ、長手方向および幅方向に沿って面状に延在し、吸液性をもつ。この折曲部１０は、幅方向の中央に位置する基点Ｐから後身頃に向かうにつれて互いに離間して配置された前記幅方向に対称な一対の第一折曲部１１と、基点Ｐを通って長手方向に延びる第二折曲部１２とを備える。【選択図】図２
2020014774.tif 000002
【特許請求の範囲】
【請求項１】
前後非対称な折曲部で折り曲げられ、長手方向および幅方向に沿って面状に延在し、吸液性をもつ吸収体であって、
前記折曲部は、
前記幅方向の中央に位置する基点から後身頃に向かうにつれて互いに離間して配置された前記幅方向に対称な一対の第一折曲部と、
前記基点を通って前記長手方向に延びる第二折曲部と
を備えたことを特徴とする吸収体。
【請求項２】
前記第二折曲部は、前記基点から前身頃に延在する中央前折曲部を有する
ことを特徴とする請求項１に記載された吸収体。
【請求項３】
前記第二折曲部は、前記基点から後身頃に延在する中央後折曲部を有する
ことを特徴とする請求項１または２に記載された吸収体。
【請求項４】
前記第一折曲部は前記長手方向に並んで複数組が設けられた
ことを特徴とする請求項１〜３の何れか１項に記載された吸収体。
【請求項５】
前記第一折曲部を通るとともに前記第二折曲部と平行であって、前記幅方向に対称な一対の第三折曲部を備えた
ことを特徴とする請求項１〜４の何れか１項に記載された吸収体。
【請求項６】
前記第三折曲部は、前身頃に配置された側前折曲部を有する
ことを特徴とする請求項５に記載された吸収体。
【請求項７】
前記第三折曲部は、後身頃に配置された側後折曲部を有する
ことを特徴とする請求項５または６に記載された吸収体。
【請求項８】
前記第三折曲部は、非肌面側に設けられた
ことを特徴とする請求項５〜７の何れか１項に記載された吸収体。
【請求項９】
前記第一折曲部および前記第二折曲部は、非肌面側に設けられた
ことを特徴とする請求項１〜８の何れか１項に記載された吸収体。
【請求項１０】
前記第一折曲部および前記第二折曲部は、肌面側に設けられた
ことを特徴とする請求項１〜９の何れか１項に記載された吸収体。
【請求項１１】
請求項１〜１０の何れか１項に記載された吸収体を備えた
ことを特徴とする吸収性物品。
【発明の詳細な説明】
【技術分野】
【０００１】
本発明は、吸収体およびこれを備えた吸収性物品に関する。
【背景技術】
【０００２】
従来、失禁用パッドや紙おむつといった吸収性物品に設けられる部材の一つとして、股下部やその前後に亘って配置される吸収体が知られている。吸収体によって、吸収性物品の着用者から排泄された液体が吸収あるいは保持される。また、吸収性物品の装着性を高めるため、吸収性物品を折り曲げて着用者に装着することも知られている。
上記の折り曲げを案内するために、溝状あるいはスリット状の折曲部を吸収体に設けることが提案されている。たとえば、長手方向に延在する折曲部を前後対称に設けることが検討されている（特許文献１，２参照）。
【先行技術文献】
【特許文献】
【０００３】
【特許文献１】特開2016-198142号公報
【特許文献２】特許第6147882号公報
【発明の概要】
【発明が解決しようとする課題】
【０００４】
ところで、着用者の身体形状は、股間に対して腹側と背側とで異なる。これに対し、上述したような前後対称の折曲部が設けられると、その折曲部で折り曲げられた吸収性物品の形状が前後とも同様の形状となる。しかしながら、前後で身体形状の異なる着用者に対して、前後とも同様な形状に折り曲げられた吸収性物品が装着されると、吸収性物品の装着性を高められないおそれがある。
【０００５】
本発明は、上記のような課題に鑑みて創案されたものであり、吸収性物品の装着性を高めることを目的の一つとする。なお、この目的に限らず、後述する「発明を実施するための形態」に示す各構成から導き出される作用および効果であって、従来の技術では得られない作用および効果を奏することも、本発明の他の目的として位置付けることができる。
【課題を解決するための手段】
【０００６】
（１）ここで開示する吸収体は、前後非対称な折曲部で折り曲げられ、長手方向および幅方向に沿って面状に延在し、吸液性をもつ。本折曲部は、前記幅方向の中央に位置する基点から後身頃に向かうにつれて互いに離間して配置された前記幅方向に対称な一対の第一折曲部と、前記基点を通って前記長手方向に延びる第二折曲部とを備える。
（２）ここで開示する吸収性物品は、上記の吸収体を備える。
【発明の効果】
【０００７】
本発明によれば、吸収体に設けられた前後非対称の折曲部で吸収性物品が折り曲げられることにより、着用者に対する吸収性物品の装着性を高めることができる。
【図面の簡単な説明】
【０００８】
【図１】失禁用パッド（吸収性物品）を示す平面図である。
【図２】第一吸収体を示す斜視図である。
【図３】第一吸収体の第一折曲状態を示す斜視図である。
【図４】第一吸収体の第二折曲状態を示す斜視図である。
【図５】第二吸収体を示す斜視図である。
【図６】第二吸収体の第三折曲状態を示す斜視図である。
【図７】第三吸収体を示す平面図である。
【発明を実施するための形態】
【０００９】
以下、吸収体および吸収性物品の実施形態を説明する。
本実施形態の吸収体は、着用者に装着される吸収性物品に設けられている。吸収体は、吸収性物品において、着用者から排泄される尿や経血といった液体の水分（以下「排泄水分」と称する）を吸収する。
【００１０】
吸収性物品としては、失禁用パッド（いわゆる「尿パッド」），テープ型やパンツ型の紙おむつ（いわゆる「使い捨ての紙おむつ」）あるいは布おむつ，生理用ナプキン，パンティーライナーなどが挙げられる。
以下の実施形態では、吸収性物品として男性用の失禁用パッド（以下「パッド」と略称する）を例示する。パッドは、ホルダーパンツやおむつといった外装体に内装される。
【００１１】
本実施形態では、説明に用いる方向を下記のように定義する。
パッドについては、着用者の下腹部に対向して配置される前身頃と着用者の臀部に対向して配置される後身頃とを結ぶ方向を長手方向とする。前身頃と後身頃との間には、着用者の股間に配置された股下部が位置する。また、パッドが着用者に装着された状態（以下「装着状態」と略称する）において、着用者の肌に向かう側を肌面側とし、肌面側の反対側を非肌面側とする。さらに、肌面側と非肌面側とを結ぶ方向を厚み方向とし、長手方向および厚み方向の何れにも直交する方向を幅方向とする。
【００１２】
なお、長手方向に関しては、前身頃側を前方（図中には符号「Ｆ」で示す）とし、後身頃側を後方（図中には符号「Ｂ」で示す）とする。幅方向に関しては、パッドを肌面側から見た状態を基準に、左方（図中には符号「Ｌ」で示す）および右方（図中には符号「Ｒ」で示す）を定める。厚み方向に関しては、肌面側が装着状態で内側（図中には符号「Ｉ」で示す）であり、非肌面側が装着状態で外側（図中には符号「Ｏ」で示す）である。
そのほか、厚み方向から見ることを、平面視とする。
【００１３】
［Ｉ．一実施形態］
以下に述べる一実施形態では、パッドの構成を項目［１］で概説する。それから、吸収体の構成を項目［２］で詳述する。そして、項目［１］，［２］の構成による作用および効果を項目［３］で述べる。
【００１４】
［１．パッド］
図１に示すように、パッド２には、前身頃２Ｆ，股下部２Ｍおよび後身頃２Ｂに亘る長手方向と幅方向とに沿って面状に延在する吸収体１が内蔵されている。ここでは、マット状の吸収体１が幅方向対称に設けられている。
吸収体１は、排泄水分を吸収して保持する吸液性の機能部材である。この吸収体１では、粉砕あるいは解繊されたパルプ（いわゆる「フラッフパルプ」）に高吸水性樹脂（「ＳＡＰ〈Super Absorbent Polymer〉」とも称される）が混合されたマット状のコアがラップシートで被包（ラップ）されている。
【００１５】
吸収体１に対して肌面側および非肌面側には、種々のシートが設けられている。
たとえば、吸収体１に対して肌面側にセンターシート３が積層され、センターシート３の左右にサイドシート４が配置される。
センターシート３は、パッド２において最も肌面側に配置される（このことから「トップシート」とも称される）。サイドシート４も、おむつ１において最も肌面側に配置される（このことからセンターシート３と同様に「トップシート」とも称される）。
【００１６】
センターシート３は、透水性を有する。排泄水分は、センターシート３を透過して吸収体１に吸収される。
一方、サイドシート４は、非透水性を有する。このサイドシート４には、幅方向内側の部位がセンターシート３よりも肌面側に配置された自由端に立体ギャザー９が配備される。立体ギャザー９では、糸ゴム、天然ゴムあるいは伸縮フィルムといった弾性部材によってサイドシート４が皺寄せられて肌面側に立ち上がり、左右への液漏れ防止が図られる。
【００１７】
［２．吸収体］
上記のパッド２に内蔵される吸収体１には、パッド２の折り曲げを案内する折曲部が設けられている。この折曲部は、前後非対称に設けられている。
以下、折曲部の設けられた吸収体１の具体例として、図２〜図４を参照する項目［２−１］で折曲部１０の設けられた第一吸収体１Ａ（吸収体１の一例）を挙げ、図５および図６を参照する項目［２−２］で折曲部１０′の設けられた第二吸収体１Ｂ（吸収体１のもう一例）を挙げる。
【００１８】
図２〜図６には、肌面側が凹設された溝状の折曲部１０，１０′を例示する。
ただし、肌面側に設けられた折曲部１０，１０′に替えてまたは加えて、吸収体１の非肌面側に折曲部１０，１０′が設けられてもよい。また、折曲部１０，１０′の形態は、溝状（有底）に限らず、吸収体１の一部が厚み方向に貫通したスリット状（無底）であってもよいし、折曲部１０，１０′の密度や剛性が他の部位よりも抑えられた構成であってもよい。
【００１９】
なお、折曲部１０，１０′は、吸収体１において、コアおよびラップシートの双方に設けられてもよいし、コアのみに設けられてもよい。
そのほか、項目［２−１］で説明する第一吸収体１Ａには、折曲部１０を除いて他の折曲部は設けられていない。同様に、項目［２−２］で説明する第二吸収体１Ｂには、折曲部１０′を除いて他の折曲部は設けられていない。
【００２０】
［２−１．第一吸収体］
まず、図２を参照して、第一吸収体１Ａを説明する。
第一吸収体１Ａには、折曲部１０として、第一折曲部１１および第二折曲部１２が設けられている。ここでは、平面視でＹ字形（矢形）をなす折曲部１０を例示する。
第一折曲部１１は、幅方向の中央に位置する基点Ｐから後方（後身頃）に向かうにつれて互いに離間して配置された一対が設けられる。
【００２１】
すなわち、一対の第一折曲部１１には、基点Ｐから後方に向かうにつれて左方に位置する第一左折曲部１１Ｌと、基点Ｐから後方に向かうにつれて右方に位置する第一右折曲部１１Ｒとがそれぞれに延在している。言い換えれば、第一左折曲部１１Ｌおよび第一右折曲部１１Ｒの各前端（前身頃側の端部）が基点Ｐで交わっており、これらの折曲部１１Ｌ，１１Ｒが前後非対称なパターンであって幅方向に対称なパターンで設けられている。
このように平面視でＶ字状をなす幅方向に対称な一対の第一折曲部１１は、股下部２Ｍ（図１参照）に配置される。
【００２２】
第二折曲部１２は、上記の基点Ｐを通って長手方向に延びて設けられる。この第二折曲部１２は、基点Ｐを後端（後身頃側の端部）とする。このように第一吸収体１Ａの幅方向中央かつ前側に延在する第二折曲部１２は、「中央前折曲部」と言うこともできる。
【００２３】
ここでは、第一吸収体１Ａの端縁まで延在した折曲部１１，１２を例示する。
ただし、第一折曲部１１は、少なくとも基点Ｐを通る領域に形成されていればよく、第一吸収体１Ａの幅方向端縁を除いた領域のみに形成されていてもよい。同様に、第二折曲部１２は、少なくとも基点Ｐを通る領域に形成されていればよく、第一吸収体１Ａの前端縁を除いた領域のみに形成されていてもよい。
【００２４】
折曲部１１Ｌ，１１Ｒ，１２によって、第一吸収体１Ａは、以下に示す三つの領域ＲB，ＲFL，ＲFRに区画される。
・  後領域ＲB ：第一左折曲部１１Ｌおよび第一右折曲部１１Ｒよりも後方の領域
・左前領域ＲFL：第一左折曲部１１Ｌよりも前方かつ第二折曲部１２よりも左方の領域
・右前領域ＲFR：第一右折曲部１１Ｒよりも前方かつ第二折曲部１２よりも右方の領域
【００２５】
上記の領域ＲB，ＲFL，ＲFRは、折曲部１１Ｌ，１１Ｒ，１２の折り曲げ方向に応じた方面を向く。すなわち、領域ＲB，ＲFL，ＲFRが各方面を向くように、第一吸収体１Ａが折曲部１１Ｌ，１１Ｒ，１２で折り曲げられる。延いては、第一吸収体１Ａの折れ曲がりに応じて、パッド２（図１参照）も折り曲げられる。
【００２６】
たとえば、図３に示すように、折曲部１１Ｌ，１１Ｒ，１２を肌面側に突出させるように第一吸収体１Ａを山折りした第一折曲状態では、後領域ＲBがやや後方を向き、左前領域ＲFLが左方（幅方向外側）を向き、右前領域ＲFRが右方（幅方向外側）を向く。
また、図４に示すように、折曲部１１Ｌ，１１Ｒ，１２を非肌面側に突出させるように第一吸収体１Ａを谷折りした第二折曲状態では、左前領域ＲFLが右方（幅方向内側）を向き、右前領域ＲFRが左方（幅方向内側）を向き、後領域ＲBがやや前方を向く。
【００２７】
［２−２．第二吸収体］
つぎに、図５を参照して、第二吸収体１Ｂを説明する。
第二吸収体１Ｂには、折曲部１０′として、第一折曲部１１′および第二折曲部１２′が設けられている。ここでは、平面視で矢印形（矢形）をなす折曲部１０′を例示する。
【００２８】
第一折曲部１１′は、上述の第一折曲部１１と同様に、幅方向の中央に位置する基点Ｐ′から後方に向かうにつれて互いに離間して配置された一対が設けられている。すなわち、第一折曲部１１′には、基点Ｐ′から後方に向かうにつれて左方に位置する第一左折曲部１１Ｌ′と、基点Ｐ′から後方に向かうにつれて右方に位置する第一右折曲部１１Ｒ′とがそれぞれに延在している。
【００２９】
一方、第二折曲部１２′は、基点Ｐ′を通って長手方向に延びる構成は上述の第二折曲部１２と同様であるものの、基点Ｐ′を前端（前身頃側の端部）とする構成が上述の第二折曲部１２と異なる。このように第二吸収体１Ｂの幅方向中央かつ後側に配置された第二折曲部１２′は、「中央後折曲部」と言うこともできる。
【００３０】
折曲部１１Ｌ′，１１Ｒ′，１２′によって、第二吸収体１Ｂは、以下に示す三つの領域ＲB，ＲFL，ＲFRに区画される。
・  前領域ＲF ′：第一左折曲部１１Ｌ′および第一右折曲部１１Ｒ′よりも
前方の領域
・左後領域ＲBL′：第一左折曲部１１Ｌ′よりも後方かつ
第二折曲部１２′よりも左方の領域
・右後領域ＲBR′：第一右折曲部１１Ｒ′よりも後方かつ
第二折曲部１２′よりも右方の領域
【００３１】
たとえば、図６に示すように、第一左折曲部１１Ｌ′および第一右折曲部１１Ｒ′を非肌面側に突出させるように谷折りしつつ、第二折曲部１２′を肌面側に突出させるように山折りした第三折曲状態では、前領域ＲFがやや後方を向き、左後領域ＲBLが左方（幅方向外側）を向き、右前領域ＲFRが右方（幅方向外側）を向く。いわば、第三折曲状態では、第二吸収体１Ｂが鞍形に折り曲げられる。
【００３２】
［３．作用および効果］
本実施形態は、上述のように構成されるため、以下のような作用および効果を得ることができる。
（１）前後非対称の折曲部１０，１０′で吸収体１Ａ，１Ｂの折り曲げが案内されるため、前後非対称にパッド２を容易に折り曲げることができ、前後で身体形状の異なる着用者に対するパッド２の装着性を高めることができる。
【００３３】
具体的には、第一折曲部１１，１１′で吸収体１Ａ，１Ｂを折り曲げることにより、第一折曲部１１，１１′に対して前後の各領域ＲF′，ＲBが向く方面を調節することができる。また、第二折曲部１２，１２′で吸収体１Ａ，１Ｂを折り曲げることにより、第二折曲部１２，１２′に対して左右の各領域ＲFL，ＲFR，ＲBL′，ＲBR′が向く方面を調節することができる。
上記のようにさまざまな領域ＲB，ＲFL，ＲFR，ＲF′，ＲBL′，ＲBR′の向きが調節可能なことから、吸収体１Ａ，１Ｂを種々の形状へ容易に折り曲げることができる。よって、着用者の身体形状に応じた形状にパッド２を折り曲げることができる。
【００３４】
（２）基点Ｐから前方に延在する第二折曲部１２で第一吸収体１Ａを折り曲げることにより、前領域ＲFL，ＲFRの向きを調節することができる。
図４に例示した第二折曲状態のように第二折曲部１２を谷折りした場合には、男性の着用者に対する前身頃２Ｆや股下部２Ｍのフィット性を高めることができる。なお、図３に例示した第一折曲状態のように第二折曲部１２を山折りした場合には、女性の着用者に対する前身頃２Ｆや股下部２Ｍのフィット性を高めることもできる。
このようにして、第一吸収体１Ａやこれを内蔵するパッド２を着用者の性別に適合した形状に折り曲げることができる。
【００３５】
（３）また、基点Ｐ′から後方に延在する第二折曲部１２′で第二吸収体１Ｂを折り曲げることにより、後領域ＲBL′，ＲBR′の向きを調節することができる。
図６に例示した第三折曲状態のように第二折曲部１２′を山折りした場合には、男性の着用者に限らず女性の着用者に対しても臀部へのフィット性を高めることができる。このように、第二吸収体１Ｂやこれを内蔵するパッド２を着用者の臀部に適合した形状に折り曲げることができる。
【００３６】
（４）上記の折曲部１０，１０′は、吸収体１Ａ，１Ｂの肌面側に設けられることから、吸収体１Ａ，１Ｂを谷折りさせやすくすることができる。たとえば、第二折曲状態の折曲部１０や第三折曲状態の第一折曲部１１′の折り曲げやすさを高めることができる。
そのほか、吸収体１Ａ，１Ｂの肌面側に折曲部１０，１０′が設けられることにより、パッド２の蒸れを抑えることができ、排泄水分の拡散性を高めることができる。このような通気性や吸液性の向上により、パッド２を装着する着用者の快適性向上に資する。
（５）なお、吸収体１Ａ，１Ｂの非肌面側に折曲部１０，１０′が設けられる場合には、吸収体１Ａ，１Ｂを山折りさせやすくすることができる。たとえば、第一折曲状態の折曲部１０や第三折曲状態の第二折曲部１２′の折り曲げやすさを高めることができる。
【００３７】
［ＩＩ．その他］
上述した実施形態はあくまでも例示に過ぎず、この実施形態で明示しない種々の変形や技術の適用を排除する意図はない。本実施形態の各構成は、それらの趣旨を逸脱しない範囲で種々変形して実施することができる。また、必要に応じて取捨選択することができ、適宜組み合わせることもできる。
【００３８】
たとえば、図７に示すように、第三吸収体１Ｃ（吸収体１の変形例）に複数組（図７では二組を例示する）の第一折曲部１１″が長手方向に並んで設けられてもよい。
また、基点Ｐ″を通って第三吸収体１Ｃの長手方向全域に亘る第二折曲部１２″が延在していてもよい。
さらに、第一折曲部１１″を通るとともに第二折曲部１２″と平行であって幅方向に対称な一対の第三折曲部１３″が第三吸収体１Ｃに設けられていてもよい。この第三折曲部１３″には、第二折曲部１２″よりも前方に配置された側前折曲部１３Ｆ″と、第二折曲部１２″よりも前方に配置された側後折曲部１３Ｂ″とが設けられる。
【００３９】
これらの折曲部１１″，１２″，１３″は、第三吸収体１Ｃの肌面側および非肌面側の何れに設けられてもよい。
上記のように折曲部１１″，１２″，１３″を増設することで、第三吸収体１Ｃを多様な形状に折り曲げることができ、着用者の身体形状に対する装着性をより一層高めることができる。
【００４０】
詳細に言えば、複数の第一折曲部１１″によって、着用者の股下形状に応じた第三吸収体１Ｃの細やかな折り曲げが可能となる。側前折曲部１３Ｆ″によって、着用者の下腹部に応じた第三吸収体１Ｃの細やかな折り曲げが可能となる。側後折曲部１３Ｂ″によって、着用者の臀部に応じた第三吸収体１Ｃの細やかな折り曲げが可能となる。
第三折曲部１３″が非肌面側に設けられる場合には、第三吸収体１Ｃを山折りしやすくなる。たとえば、側前折曲部１３Ｆ″で山折りすれば、男性の着用者に対する第三吸収体１Ｃのフィット性を高めることができる。側後折曲部１３Ｂ″で山折りすれば、男性に限らず女性の着用者に対する臀部へのフィット性をより一層高めることができる。
【００４１】
そのほか、吸収体１Ａ，１Ｂ，１Ｃとしては、パルプを含有せずに高吸水性樹脂から形成された部材（いわゆる「ＳＡＰシート」）を用いてもよいし、高吸水性樹脂を含有せずにパルプから形成された部材を用いてもよい。
なお、吸収体１Ａ，１Ｂ，１Ｃには、少なくともコアが設けられていればよく、ラップシートは必須ではない。
【符号の説明】
【００４２】
１    吸収体
１Ａ    第一吸収体（吸収体）
１Ｂ    第二吸収体（吸収体）
１Ｃ    第三吸収体（吸収体）
２    失禁用パッド（吸収性物品）
２Ｆ    前身頃
２Ｂ    後身頃
２Ｍ    股下部
３    センターシート
４    サイドシート
９    立体ギャザー
１０，１０′    折曲部
１１，１１′，１１″    第一折曲部
１１Ｌ，１１Ｌ′    第一左折曲部
１１Ｒ，１２Ｒ′    第一右折曲部
１２    第二折曲部（中央前折曲部）
１２′    第二折曲部（中央後折曲部）
１３″    第三折曲部
１３Ｆ″    側前折曲部
１３Ｂ″    側後折曲部
Ｐ，Ｐ′    基点
ＲB    後領域
ＲBL′    後左領域
ＲBR′    後右領域
ＲF′    前領域
ＲFL    前左領域
ＲFR    前右領域
【図１】
2020014774.tif 000003
【図２】
2020014774.tif 000004
【図３】
2020014774.tif 000005
【図４】
2020014774.tif 000006
【図５】
2020014774.tif 000007
【図６】
2020014774.tif 000008
【図７】
2020014774.tif 000009